(57)【要約】【課題】昇降式のキャビネット（Ｋ）を備えた排水機器の排水配管において、キャビネット（Ｋ）の昇降に対応しつつ、降下時に排水配管に弛みが無く、また、排水と直接接触する部分の可撓性素材の部分を可能な限り減少させることを目的として発明されたものである。【解決手段】  上下方向の高さを変更することが可能な、昇降式キャビネット（Ｋ）に用いられる排水配管であって、キャビネット（Ｋ）上の槽体からの排水を排出する排水口（１）と、床面（Ｆ）に設けた、下水側の床下配管に連通する立上管（２）と、硬質にして内面平滑な管体からなる複数の通水管（３）と、からなり、更に排水口（１）と立上管（２）との間に、上下に隣り合う通水管（３）が略くの字状となるように配置し、通水管（３）同士、通水管（３）と排水口（１）、及び通水管（３）と立上管（２）とを可撓性の素材からなる筒状継手（４）にて接続したことを特徴とする排水配管。【選択図】  図１
2005248543.tif 000002
【特許請求の範囲】
【請求項１】
上下方向の高さを変更することが可能な、昇降式キャビネット（Ｋ）に用いられる排水配管であって、
キャビネット（Ｋ）上の槽体からの排水を排出する排水口（１）と、
床面（Ｆ）に設けた、下水側の床下配管に連通する立上管（２）と、
硬質にして内面平滑な管体からなる複数の通水管（３）と、
からなり、
更に排水口（１）と立上管（２）との間に、上下に隣り合う通水管（３）が略くの字状となるように配置し、
通水管（３）同士、通水管（３）と排水口（１）、及び通水管（３）と立上管（２）とを可撓性の素材からなる筒状継手（４）にて接続したことを特徴とする排水配管。
【請求項２】
上下方向の高さを変更することが可能な、昇降式キャビネット（Ｋ）に用いられる排水配管であって、
キャビネット（Ｋ）上の槽体からの排水を排出する排水口（１）と、
床面（Ｆ）に設けた、下水側の床下配管に連通する立上管（２）と、
硬質にして内面平滑な管体からなる複数の通水管（３）と、
排水口（１）、立上管（２）、及び通水管（３）の接続箇所に適宜設けられた、その内部に排水を排出可能な回動軸（５ａ）を備えた回動継手（５）及び回動継手受け（６）からなり、
該回動継手（５）及び回動継手受け（６）を介して、通水管（３）同士、通水管（３）と排水口（１）、及び通水管（３）と立上管（２）とを上下に隣り合う通水管（３）が略くの字状となるように配管したことを特徴とする排水配管。
【請求項３】
上下方向の高さを変更することが可能な、昇降式キャビネット（Ｋ）に用いられる排水配管であって、
キャビネット（Ｋ）上の槽体からの排水を排出する排水口（１）と、
床面（Ｆ）に設けた、下水側の床下配管に連通する立上管（２）と、
排水口（１）から垂下された吊下筒体（７）と、
立上管（２）に連通してなり、キャビネット（Ｋ）の降下時に、その内部に吊下筒体（７）を収納可能に構成された立上筒体（８）と、
該吊下筒体（７）と立上筒体（８）とを水密的に接続する水密部材（９）と、
から構成したことを特徴とする特徴とする排水配管。
【請求項４】
上下方向の高さを変更することが可能な、昇降式キャビネット（Ｋ）に用いられる排水配管であって、
キャビネット（Ｋ）上の槽体からの排水を排出する排水口（１）と、
床面（Ｆ）に設けた、下水側の床下配管に連通する立上管（２）と、
排水口（１）から垂下された吊下筒体（７）と、
立上管（２）に連通してなり、キャビネット（Ｋ）の降下時に、その内部に吊下筒体（７）を収納可能に構成された立上筒体（８）と、
該吊下筒体（７）と立上筒体（８）との周囲に、上下方向に可撓性を備え、排水配管外に排水が漏水することを防止する水密筒体（１０）を備え、
更に立上筒体（８）の、水密筒体（１０）との接続箇所の最下端位置以下となる位置に、水密筒体（１０）内に溜まった水を立上管（２）内に排出する通水孔（１１）を設けたことを特徴とする排水配管。
【請求項５】
上記請求口３または請求項４に記載の排水配管において、
吊下筒体（７）と立上筒体（８）との間に、
吊下筒体（７）と立上筒体（８）の間の空間に収納可能にして、キャビネット（Ｋ）の上昇時、
吊下筒体（７）に懸吊される延長管（１２）を備えたことを特徴とする排水配管。
【請求項６】
上記請求項５に記載の排水配管において、延長管（１２）の上面または吊下筒体（７）の下面のいずれか一方、または両方に突出リブ（１３）を設けたことを特徴とする排水配管。
【請求項７】
上記請求項４乃至請求項６のいずれか１つに記載の排水配管において、
立上筒体（８）と、立上筒体（８）内に収納される部材との間に、
排水口（１）と立上管（２）との位置ズレに対応可能な隙間空間（Ｗ）を設けたことを特徴とする排水配管。
【請求項８】
上下方向の高さを変更することが可能な、昇降式キャビネット（Ｋ）に用いられる排水配管であって、
キャビネット（Ｋ）上の槽体からの排水を排出する排水口（１）と、
床面（Ｆ）に設けた、下水側の床下配管に連通する立上管（２）と、
排水口（１）から垂下された吊下筒体（７）と、
立上管（２）に連通してなり、キャビネット（Ｋ）の降下時に、その内部に吊下筒体（７）を収納可能に構成された立上筒体（８）と、
該吊下筒体（７）と立上筒体（８）とを水密的に連通する可撓性を備えた筒体であって、その内周面又は外周面の、水平に沿って連続した高さ位置に、筒体の屈曲を促す屈曲溝（１４）を設けた反転筒（１５）を備えたことを特徴とする排水配管。
【請求項９】
上記請求項１乃至請求項８のいずれか１つに記載の排水配管において、排水口（１）と排水配管の間、または立上管（２）と排水配管の間に、下水側からの臭気や害虫類の屋内側への進入を防止する排水トラップ（１６）を備えたことを特徴とする排水配管。
【発明の詳細な説明】
【技術分野】
【０００１】
本発明は、洗面台や流し台などの排水配管に関するものであり、更に詳しくは、天面の高さ位置を変更することができる、昇降式キャビネットに用いられる排水配管に関するものである。
【背景技術】
【０００２】
従来から洗面台や流し台など、キャビネットを備えた排水機器（使用によって排水を生じる機器）においては、使用によって生じた排水を漏水等が無いようにしつつ、下水側に排出する必要がある。
このため、床下空間に、下流が下水等に接続された床下配管を設置し、床下配管の上流側の端部を排水機器近傍の床面上または床面上から作業可能な位置に設置して立上管とし、この立上管と排水機器の排水口とを排水接続管で接続して、排水機器において生じた排水を、排水接続管、立上管、及び床下配管を介して下水側に排出している。
【０００３】
ところで、洗面台、流し台において、使用者の体格に合わせて天面の高さ位置を変更することができる昇降式のキャビネットが知られている。これは、モーターなどの駆動機構の力を利用し、天面以下のキャビネット部分の高さを伸縮させることで、床面から天面までの高さを変更する構成になっている。
このような昇降式のキャビネットを採用した洗面台や流し台等排水機器の場合も、上記段落０００２に記載の洗面台や流し台等の排水機器同様、使用によって生じた排水を漏水等が無いようにしつつ、下水側に排出しなければ成らない。ところが、図１４の排水接続管のように、排水接続管を硬質の直管で構成すると、排水接続管がキャビネットの昇降に対応できず、キャビネットの降下によって排水接続管又はキャビネットが破損したり、キャビネットの上昇によって排水接続管と排水口又は立上管との接続が外れ、漏水が発生する原因となっていた。
【０００４】
また、排水接続管を上記段落０００３に記載した硬質の直管に変えて、図１５に示したように、蛇腹管など可撓性の管体で構成し、更にキャビネットが最も高い高さ位置に配置されても外れない長さとすれば、上記段落０００３に記載した、キャビネットや排水接続管を破損するといった問題や、排水接続管と排水口又は立上管との接続が外れ、漏水が発生する等の問題は解決が可能である。しかし、キャビネットが最も高い高さ位置に配置されても外れないように排水接続管の長さを設定しているため、キャビネットを降下した場合、図１６に示したように、排水接続管が余って弛みを生じ、その弛み部分に排水が溜まって排水性能が悪くなったり、排水中の塵芥が溜まって異臭を発生する場合があった。
また排水機器には、排水トラップと呼ばれる、下水側の臭気等が屋内側に逆流することを防ぐ部材の接続がＪＩＳ規格によって義務付けられている。この排水トラップは、例えば管体を屈曲させるなどして排水の溜まり部分を形成することで、下水側から臭気や害虫類が屋内に進入することを防止している。このような排水トラップを接続した排水接続管において、排水接続管上に弛みが生じると、排水が溜まってトラップ機能を生じ、ダブルトラップ状態と呼ばれる状態となる。このダブルトラップ状態では排水の流れが極めて悪化し、排水接続管の自浄作用が著しく悪化して排水接続管の中に塵芥が堆積し、管詰まりを招くため、前述のＪＩＳ規格によって配管が禁止されている。
【０００５】
上記の問題を解決するため、特許文献１に記載した従来例では、昇降式のキャビネットを採用した排水機器において、排水口と立上管との接続を行う排水接続管に、蛇腹管などの可撓性の排水接続管の一部に硬質の管体を巻装した構成のものを採用していた。このような構成の排水接続管であれば、可撓管の可撓性を利用して排水接続管の高さを変更することができる上に、排水接続管上に弛みが発生することも防止することができる、という効果を得ることができる。
【特許文献１】実開６３−９５７７７号（第１図、第２図、第４図参照）
【発明の開示】
【発明が解決しようとする課題】
【０００６】
しかしながら、前記した従来の排水接続管を採用した排水配管では以下のような問題点があった。
【０００７】
上記特許文献１にて示した、従来例の排水配管の場合、排水接続管には内面に凹凸のある蛇腹管を採用しているため、その内部に塵芥などが引っ掛かり、堆積して管詰まりの原因となっていた、特に排水機器が流し台であった場合、排水には調理や食後の厨芥が混入し、特に管詰まりの発生が生じやすく、特許文献１の方法を採用することは困難であった。
また、洗面台や流し台などの排水には、石鹸や有機溶媒、また高温の油など薬品の性質を備えた物質が含まれている場合がある。これらの物質は、排水配管を構成する管体の素材に悪影響を及ぼすが、特に可撓性を備えた軟質の素材は、素材の強度を落とすことで可撓性を与えているので、これら薬品の性質を備えた排水に侵され易く、致命的な悪影響を受ける場合が多かった。
本発明の排水配管は上記問題点に鑑み発明されたものであって、昇降式のキャビネットを備えた排水機器の排水配管において、降下時に排水配管に弛みが無く、また、排水と直接接触する部分の可撓性素材の部分を可能な限り減少させることを目的として発明されたものである。
【課題を解決するための手段】
【０００８】
請求項１に記載の排水配管は、上下方向の高さを変更することが可能な、昇降式キャビネット（Ｋ）に用いられる排水配管であって、キャビネット（Ｋ）上の槽体からの排水を排出する排水口（１）と、床面（Ｆ）に設けた、下水側の床下配管に連通する立上管（２）と、硬質にして内面平滑な管体からなる複数の通水管（３）と、からなり、更に排水口（１）と立上管（２）との間に、上下に隣り合う通水管（３）が略くの字状となるように配置し、通水管（３）同士、通水管（３）と排水口（１）、及び通水管（３）と立上管（２）とを可撓性の素材からなる筒状継手（４）にて接続したことを特徴とする排水配管である。
【０００９】
請求項２に記載の排水配管は、上下方向の高さを変更することが可能な、昇降式キャビネット（Ｋ）に用いられる排水配管であって、キャビネット（Ｋ）上の槽体からの排水を排出する排水口（１）と、床面（Ｆ）に設けた、下水側の床下配管に連通する立上管（２）と、硬質にして内面平滑な管体からなる複数の通水管（３）と、排水口（１）、立上管（２）、及び通水管（３）の接続箇所に適宜設けられた、その内部に排水を排出可能な回動軸（５ａ）を備えた回動継手（５）及び回動継手受け（６）からなり、該回動継手（５）及び回動継手受け（６）を介して、通水管（３）同士、通水管（３）と排水口（１）、及び通水管（３）と立上管（２）とを上下に隣り合う通水管（３）が略くの字状となるように配管したことを特徴とする排水配管である。
【００１０】
請求項３に記載の排水配管は、上下方向の高さを変更することが可能な、昇降式キャビネット（Ｋ）に用いられる排水配管であって、キャビネット（Ｋ）上の槽体からの排水を排出する排水口（１）と、床面（Ｆ）に設けた、下水側の床下配管に連通する立上管（２）と、排水口（１）から垂下された吊下筒体（７）と、立上管（２）に連通してなり、キャビネット（Ｋ）の降下時に、その内部に吊下筒体（７）を収納可能に構成された立上筒体（８）と、該吊下筒体（７）と立上筒体（８）とを水密的に接続する水密部材（９）と、から構成したことを特徴とする特徴とする排水配管である。
【００１１】
請求項４に記載の排水配管は、上下方向の高さを変更することが可能な、昇降式キャビネット（Ｋ）に用いられる排水配管であって、キャビネット（Ｋ）上の槽体からの排水を排出する排水口（１）と、床面（Ｆ）に設けた、下水側の床下配管に連通する立上管（２）と、排水口（１）から垂下された吊下筒体（７）と、立上管（２）に連通してなり、キャビネット（Ｋ）の降下時に、その内部に吊下筒体（７）を収納可能に構成された立上筒体（８）と、該吊下筒体（７）と立上筒体（８）との周囲に、上下方向に可撓性を備え、排水配管外に排水が漏水することを防止する水密筒体（１０）を備え、更に立上筒体（８）の、水密筒体（１０）との接続箇所の最下端位置以下となる位置に、水密筒体（１０）内に溜まった水を立上管（２）内に排出する通水孔（１１）を設けたことを特徴とする排水配管である。
【００１２】
請求項５に記載の排水配管は、上記段落００１０または段落１１に記載の排水配管において、吊下筒体（７）と立上筒体（８）との間に、吊下筒体（７）と立上筒体（８）の間の空間に収納可能にして、キャビネット（Ｋ）の上昇時、吊下筒体（７）に懸吊される延長管（１２）を備えたことを特徴とする排水配管である。
【００１３】
請求項６に記載の排水配管は、上記段落００１２に記載の排水配管において、延長管（１２）の上面または吊下筒体（７）の下面のいずれか一方、または両方に突出リブ（１３）を設けたことを特徴とする排水配管である。
【００１４】
請求項７に記載の排水配管は、上記請求項段落００１１乃至段落００１３のいずれか１つに記載の排水配管において、立上筒体（８）と、立上筒体（８）内に収納される部材との間に、排水口（１）と立上管（２）との位置ズレに対応可能な隙間空間（Ｗ）を設けたことを特徴とする排水配管である。
【００１５】
請求項８に記載の排水配管は、上下方向の高さを変更することが可能な、昇降式キャビネット（Ｋ）に用いられる排水配管であって、キャビネット（Ｋ）上の槽体からの排水を排出する排水口（１）と、床面（Ｆ）に設けた、下水側の床下配管に連通する立上管（２）と、排水口（１）から垂下された吊下筒体（７）と、立上管（２）に連通してなり、キャビネット（Ｋ）の降下時に、その内部に吊下筒体（７）を収納可能に構成された立上筒体（８）と、該吊下筒体（７）と立上筒体（８）とを水密的に連通する可撓性を備えた筒体であって、その内周面又は外周面の、水平に沿って連続した高さ位置に、筒体の屈曲を促す屈曲溝（１４）を設けた反転筒（１５）を備えたことを特徴とする排水配管である。
【００１６】
請求項９に記載の排水配管は、上記段落０００８乃至段落００１５のいずれか１つに記載の排水配管において、排水口（１）と排水配管の間、または立上管（２）と排水配管の間に、下水側からの臭気や害虫類の屋内側への進入を防止する排水トラップ（１６）を備えたことを特徴とする排水配管である。
【発明の効果】
【００１７】
本発明の排水トラップは以下の効果を奏する。
１．請求項１に記載した本発明によれば、排水配管を、キャビネット上の槽体からの排水を排出する排水口と、床面に設けた、下水側の床下配管に連通する立上管と、硬質にして内面平滑な管体からなる複数の通水管と、からなり、更に排水口と立上管との間に、上下に隣り合う通水管が略「く」の字状となるように配置し、通水管同士、通水管と排水口、及び通水管と立上管とを可撓性の素材からなる筒状継手にて接続したとによって、キャビネットが上昇した際には、排水接続管が「く」の字形状を維持しつつ上下方向に広くなり、またキャビネットが降下した際には、排水接続管が「く」の字形状を維持しつつ上下に狭くなるため、昇降式キャビネットを採用した排水機器において、排水接続管の部材や、キャビネットが破損したり、排水接続管と排水口又は立上管との接続が外れ、漏水が発生するということがない。
また排水接続管は「く」の字形状を維持するため、キャビネットの昇降の際、弛み部分が発生しない。また排水接続管のほとんどの部分は内面が平滑なため、蛇腹形状を採用した従来例と比較して凹凸が無い分塵芥が詰まり難くなっている。また、排水接続管のほとんどの部分は内面が硬質管で構成されているため、排水に薬品の性質を備えた物質が含まれている場合であっても、可撓性を備えた軟質の素材を採用した従来例と比較して、薬品の性質を備えた排水に侵され難く、排水によって致命的な悪影響を受ける場合はほとんどない。
２．請求項２に記載した本発明によれば、排水配管を、キャビネット上の槽体からの排水を排出する排水口と、床面に設けた、下水側の床下配管に連通する立上管と、硬質にして内面平滑な管体からなる複数の通水管と、排水口、立上管、及び通水管の接続箇所に適宜設けられた、その内部に排水を排出可能な回動軸を備えた回動継手及び回動継手受けからなり、該回動継手及び回動継手受けを介して、通水管同士、通水管と排水口、及び通水管と立上管とを上下に隣り合う通水管が略「く」の字状となるように配管したことによって、キャビネットが上昇した際には、排水接続管が「く」の字形状を維持しつつ上下方向に広くなり、またキャビネットが降下した際には、排水接続管が「く」の字形状を維持しつつ上下に狭くなるため、昇降式キャビネットを採用した排水機器において、排水接続管の部材や、キャビネットが破損したり、排水接続管と排水口又は立上管との接続が外れ、漏水が発生するということがない。
また排水接続管は「く」の字形状を維持するため、キャビネットの昇降の際、弛み部分が発生しない。また排水接続管は内面が平滑なため、蛇腹形状を採用した従来例と比較して凹凸が無い分塵芥が詰まり難くなっている。また、排水接続管は内面が硬質管で構成されているため、排水に薬品の性質を備えた物質が含まれている場合であっても、可撓性を備えた軟質の素材を採用した従来例と比較して、薬品の性質を備えた排水に侵され難く、排水によって致命的な悪影響を受ける場合はほとんどない。
３．請求項３に記載した本発明によれば、排水配管を、キャビネット上の槽体からの排水を排出する排水口と、床面に設けた、下水側の床下配管に連通する立上管と、排水口から垂下された吊下筒体と、立上管に連通してなり、キャビネットの降下時に、その内部に吊下筒体を収納可能に構成された立上筒体と、該吊下筒体と立上筒体とを水密的に接続する水密部材と、から構成したことによって、キャビネットが上昇した際には、吊下筒体が立上筒体内から引き上げられて上下方向に広くなり、またキャビネットが降下した際には、吊下筒体が立上筒体内に収納されて上下方向に狭くなるため、昇降式キャビネットを採用した排水機器において、排水接続管の部材や、キャビネットが破損したり、排水接続管と排水口又は立上管との接続が外れ、漏水が発生するということがない。
また排水接続管は直線形状を維持するため、キャビネットの昇降の際、弛み部分が発生しない。また排水接続管のほとんどの部分は内面が平滑なため、蛇腹形状を採用した従来例と比較して凹凸が無い分塵芥が詰まり難くなっている。また、排水接続管のほとんどの部分は内面が平滑な硬質管で構成されているため、排水に薬品の性質を備えた物質が含まれている場合であっても、可撓性を備えた軟質の素材を採用した従来例と比較して、薬品の性質を備えた排水に侵され難く、排水によって致命的な悪影響を受ける場合はほとんどない。また、吊下筒体と立上筒体とは水密部材によって水密を維持したまま昇降するので、排水接続管外に排水が漏れることもない。
４．請求項４に記載した本発明によれば、排水配管を、キャビネット上の槽体からの排水を排出する排水口と、床面に設けた、下水側の床下配管に連通する立上管と、排水口から垂下された吊下筒体と、立上管に連通してなり、キャビネットの降下時に、その内部に吊下筒体を収納可能に構成された立上筒体と、該吊下筒体と立上筒体との周囲に、上下方向に可撓性を備え、排水配管外に排水が漏水することを防止する水密筒体と、から構成したことによって、キャビネットが上昇した際には、吊下筒体が立上筒体内から引き上げられて上下方向に広くなり、またキャビネットが降下した際には、吊下筒体が立上筒体内に収納されて上下方向に狭くなるため、昇降式キャビネットを採用した排水機器において、排水接続管の部材や、キャビネットが破損したり、排水接続管と排水口又は立上管との接続が外れ、漏水が発生することがない。また排水接続管は直線形状を維持するため、キャビネットの昇降の際、弛み部分が発生しない。また、排水接続管のほとんどの部分は内面が平滑な硬質管で構成されているため、排水に薬品の性質を備えた物質が含まれている場合であっても、可撓性を備えた軟質の素材を採用した従来例と比較して、薬品の性質を備えた排水に侵され難く、排水によって致命的な悪影響を受ける場合はほとんどない。また、吊下筒体と立上筒体とは水密筒体によって水密を維持したまま昇降するので、排水接続管外に排水が漏れることもない。また、立上筒体の、水密筒体との接続箇所の最下端位置以下となる位置に、水密筒体内に溜まった水を立上管内に排出する通水孔を設ているので、排水接続管からのわずかな跳ね水や、水密筒体内で結露した水分などを、水密筒体内から容易に排出することができる。
尚、吊下筒体、延長管、立上筒体は係止部以外の部分ではお互いが直接接触しないように構成されてなる。このため、それぞれが直接、水密的には接続されていない（水密筒体を介して吊下筒体と立上筒体密的に接続されている）が、一方で、水密部材が直接部材に接触するため水密部材の当接の摩擦力でキャビネットの昇降がスムーズに行われなくなったり、また水密部材が摩擦で擦り切れる、といった問題も生じない。
５．請求項５に記載した本発明によれば、吊下筒体と立上筒体を採用した上記の本発明において、吊下筒体と立上筒体との間に、吊下筒体と立上筒体の間の空間に収納可能にして、キャビネットの上昇時、吊下筒体に懸吊される延長管を備えたことによって、キャビネットの昇降の幅がどれほど大きくても本発明を対応させることができる。
６．請求項６に記載した本発明によれば、延長管の上面または吊下筒体の下面のいずれか一方、または両方に突出リブを設けたことによって、延長管の上面と、吊下筒体の下面との接触面積が減少し、延長管の上面と吊下筒体の下面とが水滴の張力等によって張り付いてしまい、延長管が正しく動作しない、という問題を解決できる。
７．請求項７に記載した本発明によれば、立上筒体と、立上筒体内に収納される部材との間に、排水口と立上管との位置ズレに対応可能な隙間空間を設けたことによって、排水口と立上管との施工時に生じる、両者の中心軸の位置ズレに対応することができる。尚、この隙間空間は、単純に、立上筒体の内径と、吊下筒体又は延長管の外径とを調整することで作り出すことができる。
８．請求項８に記載した本発明によれば、排水配管を、キャビネット上の槽体からの排水を排出する排水口と、床面に設けた、下水側の床下配管に連通する立上管と、排水口から垂下された吊下筒体と、立上管に連通してなり、キャビネットの降下時に、その内部に吊下筒体を収納可能に構成された立上筒体と、該吊下筒体と立上筒体とを水密的に連通する可撓性を備えた筒体であって、その内周面又は外周面の、水平に沿って連続した高さ位置に、筒体の屈曲を促す屈曲溝を設けた反転筒を備えたことによって、キャビネットが上昇した際には、吊下筒体が立上筒体内から引き上げられて上下方向に広くなり、またキャビネットが降下した際には、吊下筒体が立上筒体内に収納されて上下方向に狭くなるため、昇降式キャビネットを採用した排水機器において、排水接続管の部材や、キャビネットが破損したり、排水接続管と排水口又は立上管との接続が外れ、漏水が発生することがない。また排水接続管は直線形状を維持するため、キャビネットの昇降の際、弛み部分が発生しない。また、吊下筒体と立上筒体とは反転筒によって水密を維持したまま昇降するので、排水接続管外に排水が漏れることもない。
９．請求項９に記載した本発明によれば、上記の排水配管において、排水口と排水配管の間、または立上管と排水配管の間に、排水トラップを備えたことによって、下水側からの臭気や害虫類の屋内側への進入を防止することができる。
【発明を実施するための最良の形態】
【００１８】
上下方向の高さを変更することが可能な、昇降式キャビネット（Ｋ）に用いられる排水配管を、キャビネット（Ｋ）上の槽体からの排水を排出する排水口（１）と、床面（Ｆ）に設けた、下水側の床下配管に連通する立上管（２）と、硬質にして内面平滑な管体からなる複数の通水管（３）と、から構成する。更に、通水管（３）を、排水口（１）と立上管（２）との間に、上下に隣り合う通水管（３）が略「く」の字状となるように配置し、通水管（３）同士、通水管（３）と排水口（１）、及び通水管（３）と立上管（２）とを可撓性の素材からなる筒状継手（４）にて接続する。
また、上下方向の高さを変更することが可能な、昇降式キャビネット（Ｋ）に用いられる排水配管を、キャビネット（Ｋ）上の槽体からの排水を排出する排水口（１）と、床面（Ｆ）に設けた、下水側の床下配管に連通する立上管（２）と、硬質にして内面平滑な管体からなる複数の通水管（３）と、排水口（１）、立上管（２）、及び通水管（３）の接続箇所に適宜設けられた、その内部に排水を排出可能な回動軸（５ａ）を備えた回動継手（５）及び回動継手受け（６）からなり、該回動継手（５）及び回動継手受け（６）を介して、通水管（３）同士、通水管（３）と排水口（１）、及び通水管（３）と立上管（２）とを上下に隣り合う通水管（３）が略「く」の字状となるように配管する。
また、上下方向の高さを変更することが可能な、昇降式キャビネット（Ｋ）に用いられる排水配管を、キャビネット（Ｋ）上の槽体からの排水を排出する排水口（１）と、床面（Ｆ）に設けた、下水側の床下配管に連通する立上管（２）と、排水口（１）から垂下された吊下筒体（７）と、立上管（２）に連通してなり、キャビネット（Ｋ）の降下時に、その内部に吊下筒体（７）を収納可能に構成された立上筒体（８）と、該吊下筒体（７）と立上筒体（８）とを水密的に接続する水密部材（９）と、から構成する。
また、上下方向の高さを変更することが可能な、昇降式キャビネット（Ｋ）に用いられる排水配管を、キャビネット（Ｋ）上の槽体からの排水を排出する排水口（１）と、床面（Ｆ）に設けた、下水側の床下配管に連通する立上管（２）と、排水口（１）から垂下された吊下筒体（７）と、立上管（２）に連通してなり、キャビネット（Ｋ）の降下時に、その内部に吊下筒体（７）を収納可能に構成された立上筒体（８）と、該吊下筒体（７）と立上筒体（８）との周囲に、上下方向に可撓性を備え、排水配管外に排水が漏水することを防止する水密筒体（１０）を備えて構成する。尚、立上筒体（８）の、水密筒体（１０）との接続箇所の最下端位置よりも低い位置には、水密筒体（１０）内に溜まった水を立上管（２）内に排出する通水孔（１１）を設けて構成する。また、この場合において、吊下筒体（７）と立上筒体（８）との間に、吊下筒体（７）と立上筒体（８）の間の空間に収納可能にして、キャビネット（Ｋ）の上昇時、吊下筒体（７）に懸吊される延長管（１２）を備えると好適である。
この水密筒体（１０）と延長管（１２）を用いた場合、延長管（１２）の上面または吊下筒体（７）の下面のいずれか一方、または両方に突出リブ（１３）を設けると、延長管（１２）が吊下筒体（７）に貼り張り付くことを防止でき、好適である。
更に、水密筒体（１０）を採用した場合、立上筒体（８）と、立上筒体（８）内に収納される部材との間に、排水口（１）と立上管（２）との位置ズレに対応可能な隙間空間（Ｗ）を設けると、排水口（１）と立上管（２）との位置ズレに対応することができ、好適である。
また、上下方向の高さを変更することが可能な、昇降式キャビネット（Ｋ）に用いられる排水配管において、キャビネット（Ｋ）上の槽体からの排水を排出する排水口（１）と、床面（Ｆ）に設けた、下水側の床下配管に連通する立上管（２）と、排水口（１）から垂下された吊下筒体（７）と、立上管（２）に連通してなり、キャビネット（Ｋ）の降下時に、その内部に吊下筒体（７）を収納可能に構成された立上筒体（８）と、該吊下筒体（７）と立上筒体（８）とを水密的に連通する可撓性を備えた筒体であって、その内周面又は外周面の、水平に沿って連続した高さ位置に、筒体の屈曲を促す屈曲溝（１４）を設けた反転筒（１５）を備えて構成する。
また、上記の排水配管において、排水口（１）と排水配管の間、または立上管（２）と排水配管の間に排水トラップ（１６）を備えると、下水側からの臭気や害虫類の屋内側への進入を防止することができ好適である。
【実施例】
【００１９】
以下に本発明の第一実施例を、図面を参照しつつ説明する。
図１及び図２に示した、本発明の第一実施例は、後述する、昇降式キャビネット（Ｋ）を備えた洗面台（Ｓ）と、排水トラップ（１６）と、排水接続管（１７）と、から構成される。
洗面台（Ｓ）は、底部に排水口（１）を備えた槽体である洗面ボウル（Ｂ）を天面に備えてなり、更に操作部（図示せず）を操作することによって天面が昇降し、床面（Ｆ）から排水口（１）までの高さ幅を使用者の都合の良い高さ位置に変更することができる。
排水トラップ（１６）は硬質の管体をＳ字状に屈曲させた部材であって、その内部に排水を溜めることで、下水側からの臭気や害虫類の屋内側への進入を防止することができる。
排水トラップ（１６）を介して、上記の排水口（１）から立上管（２）に至る部分を接続する排水接続管（１７）は、硬質にして内面平滑な２本の通水管（３）を略「く」の字状に配置し、更に通水管（３）の間を、可撓性の素材からなる、屈曲した筒状継手（４）で接続してなる。
また、通水管（３）と排水トラップ（１６）を介して排水口（１）、及び通水管（３）と立上管（２）を連通するためにも、前述の筒状継手（４）を別途備えてなる。
更に上記洗面台（Ｓ）は、２〜３センチメートル程度突出した立上管（２）を設けた床面（Ｆ）上に接地される。該立上管（２）は、床下空間内であって、下流が下水等に接続された床下配管の上流に接続されてなる。
【００２０】
上記の昇降式キャビネット（Ｋ）を採用した洗面台（Ｓ）は、以下のようにして床面（Ｆ）上に配管施工される。
まず、洗面台（Ｓ）を、立上管（２）を設けた床面（Ｆ）上に接地する。
次に、洗面ボウル（Ｂ）の排水口（１）に排水トラップ（１６）を接続固定する。更に排水トラップ（１６）の一端に排水接続管（１７）の一端を接続し、他端を立上管（２）に接続して、昇降式キャビネット（Ｋ）を採用した洗面台（Ｓ）の施工が完了する。
【００２１】
上記昇降式キャビネット（Ｋ）を採用した洗面台（Ｓ）を使用する場合において、洗面ボウル（Ｂ）に排水を行った場合は、排水口（１）、排水トラップ（１６）、排水接続管（１７）、立上管（２）、床下配管を介して、最終的に下水側に排出される。
また操作部を操作して、図１のようにキャビネット（Ｋ）を昇降させた場合、洗面ボウル（Ｂ）、排水口（１）、排水トラップ（１６）は洗面台（Ｓ）の天面ごと昇降するが、排水接続管（１７）は、キャビネット（Ｋ）が上昇した際には、「く」の字形状を維持しつつ上下方向に広くなる。また図２のようにキャビネット（Ｋ）が降下した際には、「く」の字形状を維持しつつ上下に狭くなる。このため、排水接続管（１７）の部材や、キャビネット（Ｋ）が破損する、又は排水接続管（１７）と排水口（１）又は立上管（２）との接続が外れ、漏水が発生する、ということがない。
また排水接続管（１７）は「く」の字形状を維持するため、キャビネット（Ｋ）の昇降の際、弛み部分を発生しない。
【００２２】
以下に本発明の第二実施例を、図面を参照しつつ説明する。
図１及び図２に示した、本発明の第二実施例は、後述する、昇降式キャビネット（Ｋ）を備えた洗面台（Ｓ）と、排水トラップ（１６）と、排水接続管（１７）と、から構成される。
洗面台（Ｓ）は、底部に排水口（１）を備えた槽体である洗面ボウル（Ｂ）を天面に備えてなり、更に操作部（図示せず）を操作することによって天面が昇降し、床面（Ｆ）から排水口（１）までの高さ幅を使用者の都合の良い高さ位置に変更することができる。
排水トラップ（１６）は硬質の管体をＳ字状に屈曲させた部材であって、その内部に排水を溜めることで、下水側からの臭気や害虫類の屋内側への進入を防止することができる。また、その下流側の下端には、後述する通水管（３）の端部に設けられた回動継手（５）を挿通する回動継手受け（６）を備えてなる。
排水トラップ（１６）を介して、上記の排水口（１）から立上管（２）に至る部分を接続する排水接続管（１７）は、硬質にして内面平滑であり、一方の端部には上記排水トラップ（１６）端部に設けた回動継手受け（６）を、またもう一方の端部には、内部に排水の通路とその排水を行う開口及びストッパー（１８ａ）を嵌合させる溝部（１８ｂ）を設けた回動継手（５）を備えて成る。また、回動継手（５）を回動継手受け（６）に挿通した後、回動継手（５）が回動継手受け（６）から抜脱することを防止する、回動継手（５）の溝部（１８ｂ）と嵌合するストッパー（１８ａ）を備えてなる。
更に上記洗面台（Ｓ）は、２〜３センチメートル程度突出し、更に上記通水管（３）のものと同様の回動継手（５）を備えた立上管（２）を設けた床面（Ｆ）上に接地される。該立上管（２）は、床下空間内であって、下流が下水等に接続された床下配管の上流に接続されてなる。
【００２３】
上記の昇降式キャビネット（Ｋ）を採用した洗面台（Ｓ）は、以下のようにして床面（Ｆ）上に配管施工される。
まず、洗面台（Ｓ）を、立上管（２）を設けた床面（Ｆ）上に接地する。
次に、図５に示したように、洗面ボウル（Ｂ）の排水口（１）に排水トラップ（１６）を接続固定する。更に排水トラップ（１６）の下流側の端部に設けられた回動継手受け（６）に、通水管（３）の回動継手（５）を挿通し、更に回動継手（５）の溝部（１８ｂ）にストッパー（１８ａ）を嵌合させ、回動継手（５）と回動継手受け（６）の接続を行う。
同様の方法で、通水管（３）同士、また通水管（３）と立上管（２）とを、通水管（３）が略「く」の字状に配置されるように接続して、昇降式キャビネット（Ｋ）を採用した洗面台（Ｓ）の施工が完了する。
【００２４】
上記昇降式キャビネット（Ｋ）を採用した洗面台（Ｓ）を使用する場合において、洗面ボウル（Ｂ）に排水を行った場合は、排水口（１）、排水トラップ（１６）、排水接続管（１７）、立上管（２）、床下配管を介して、最終的に下水側に排出される。
また操作部を操作して、図３のようにキャビネット（Ｋ）を昇降させた場合、洗面ボウル（Ｂ）、排水口（１）、排水トラップ（１６）は洗面台（Ｓ）の天面ごと昇降するが、排水接続管（１７）は、キャビネット（Ｋ）が上昇した際には、「く」の字形状を維持しつつ上下方向に広くなる。また図４のようにキャビネット（Ｋ）が降下した際には、「く」の字形状を維持しつつ上下に狭くなる。このため、排水接続管（１７）の部材や、キャビネット（Ｋ）が破損する、又は排水接続管（１７）と排水口（１）又は立上管（２）との接続が外れ、漏水が発生する、ということがない。
また排水接続管（１７）は「く」の字形状を維持するため、キャビネット（Ｋ）の昇降の際、弛み部分を発生しない。
【００２５】
次に本発明の第三実施例を、図面を参照しつつ説明する。
図６及び図７に示した、本発明の第三実施例は、昇降式キャビネット（Ｋ）を備えた洗面台（Ｓ）と、排水トラップ（１６）と、排水接続管（１７）と、から構成される。
洗面台（Ｓ）は、底部に排水口（１）を備えた槽体である洗面ボウル（Ｂ）を天面に備えてなり、更に操作部（図示せず）を操作することによって天面が昇降し、床面（Ｆ）から排水口（１）までの高さ幅を使用者の都合の良い高さ位置に変更することができる。
排水トラップ（１６）は硬質の管体をＳ字状に屈曲させた部材であって、その内部に排水を溜めることで、下水側からの臭気や害虫類の屋内側への進入を防止することができる。
排水トラップ（１６）を介して、上記の排水口（１）から立上管（２）に至る部分を接続する排水接続管（１７）は、排水トラップ（１６）の下流側の端部に、垂下した状態で接続固定される吊下筒体（７）と、
立上管（２）に連通した状態で固定されてなり、キャビネット（Ｋ）の降下時に、その内部に吊下筒体（７）を収納可能に構成された立上筒体（８）と、
吊下筒体（７）の下端に備えられた、側面方向に突出するようにして、外周縁に沿って連続して設けたパッキングからなる水密部材（９）と、から構成されてなる。
更に上記洗面台（Ｓ）は、２〜３センチメートル程度突出した立上管（２）を設けた床面（Ｆ）上に接地される。該立上管（２）は、床下空間内であって、下流が下水等に接続された床下配管の上流に接続されてなる。
【００２６】
上記の昇降式キャビネット（Ｋ）を採用した洗面台（Ｓ）は、以下のようにして床面（Ｆ）上に配管施工される。
まず、洗面台（Ｓ）を、立上管（２）を設けた床面（Ｆ）上に接地する。
次に、洗面ボウル（Ｂ）の排水口（１）に排水トラップ（１６）を接続固定する。更に排水トラップ（１６）の下流側の端部に、垂下した状態で吊下筒体（７）を接続固定する。この時、吊下筒体（７）の下端は、立上筒体（８）内に収納した状態としておく。その後、立上筒体（８）の下端を立上管（２）に接続固定して、昇降式キャビネット（Ｋ）を採用した洗面台（Ｓ）の施工が完了する。
【００２７】
上記昇降式キャビネット（Ｋ）を採用した洗面台（Ｓ）を使用する場合において、洗面ボウル（Ｂ）に排水を行った場合は、排水口（１）、排水トラップ（１６）、排水接続管（１７）、立上管（２）、床下配管を介して、最終的に下水側に排出される。
また操作部を操作して、図６のようにキャビネット（Ｋ）を昇降させた場合、キャビネット（Ｋ）が上昇した際には、吊下筒体（７）が立上筒体（８）内から引き上げられて上下方向に広くなる。また図７のようにキャビネット（Ｋ）が降下した際には、吊下筒体（７）が立上筒体（８）内に収納されて上下方向に狭くなるため、昇降式キャビネット（Ｋ）を採用した排水機器において、排水接続管（１７）の部材や、キャビネット（Ｋ）が破損したり、排水接続管（１７）と排水口（１）又は立上管（２）との接続が外れ、漏水が発生するということがない。
また排水接続管（１７）は直線形状を維持するため、キャビネット（Ｋ）の昇降の際、弛み部分を発生しない。
【００２８】
次に本発明の第四実施例を、図面を参照しつつ説明する。
図８及び図９に示した、本発明の第四実施例は、昇降式キャビネット（Ｋ）を備えた洗面台（Ｓ）と、排水トラップ（１６）と、排水接続管（１７）と、から構成される。
洗面台（Ｓ）は、底部に排水口（１）を備えた槽体である洗面ボウル（Ｂ）を天面に備えてなり、更に操作部（図示せず）を操作することによって天面が昇降し、床面（Ｆ）から排水口（１）までの高さ幅を使用者の都合の良い高さ位置に変更することができる。
排水トラップ（１６）は硬質の管体をＳ字状に屈曲させた部材であって、その内部に排水を溜めることで、下水側からの臭気や害虫類の屋内側への進入を防止することができる。
排水トラップ（１６）を介して、上記の排水口（１）から立上管（２）に至る部分を接続する排水接続管（１７）は、以下のａ．からｄ．の各部材から構成されてなる。
ａ．排水トラップ（１６）の下端から垂下した状態で接続固定されてなり、更にその側面に傘状に広がった傘状部（１９）を備え、またその下端にも外周縁に沿って突出したフランジ部（２０）を備えた吊下筒体（７）。
ｂ．その内部に吊下筒体（７）の傘状部（１９）よりも下方の部分を収納する、円筒形状にしてその上端がフランジ部（２０）に係止する係止部（２１）を備え、さらに該係止部（２１）の上面に、上方に向かって若干突出した突出リブを設けた延長管（１２）。
ｃ．立上管（２）に連通してた状態で接続固定されてなり、キャビネット（Ｋ）の降下時に、その内部に吊下筒体（７）の傘状部（１９）よりも下方の部分と、延長管（１２）とが収納可能に構成され、更にその側面に中心側に向かって下り勾配となる皿状に広がった受皿部（２２）を備えてなり、該受皿部（２２）と筒体部分との交差部分に、水密筒体（１０）内に溜まった水を立上管（２）内に排出するための通水孔（１１）を備えた立上筒体（８）。尚、この立上筒体（８）の内径は、上記延長管（１２）の外径に対して、排水口（１）と立上管（２）との位置ズレが予想される幅分だけ大径に形成されている。例えば、排水口（１）と立上管（２）との位置ズレが最大で２０ミリメートルと予想される場合（この値は、配管の長さや状況、また経験則等により予測できる）、延長管（１２）の外径が７０ミリメートルであれば、立上筒体（８）の内径は９０ミリメートル以上に形成するものとする。
ｄ．上下方向に蛇腹状とすることで上下方向に伸縮性を備えた筒体であって、該吊下筒体（７）と立上筒体（８）との周囲を覆うようにして、上端が吊下筒体（７）の傘状部（１９）の外縁近傍に、下端が受皿部（２２）の外縁近傍に、それぞれ水密的に接続される水密筒体（１０）（図面中では、この蛇腹形状の断面は２本の２点鎖線で示すものとする）。この水密筒体（１０）の素材としては、柔軟なゴム材、エラストマー樹脂の他、薄膜状として可撓性を持たせたポリプロピレン材などのが好適である。
尚、吊下筒体（７）、延長管（１２）、立上筒体（８）は係止部（２１）以外の部分ではお互いが直接接触しないように構成されてなる。このため、それぞれが直接、水密的には接続されていない（水密筒体（１０）を介して吊下筒体（７）と立上筒体（８）が水密的に接続されている）が、一方で、上記第三実施例のように、水密部材（９）が直接部材に接触するため水密部材（９）の当接の摩擦力でキャビネット（Ｋ）の昇降がスムーズに行われなくなったり、また水密部材（９）が摩擦で擦り切れる、といった問題も生じない。
また、上記洗面台（Ｓ）は、２〜３センチメートル程度突出した立上管（２）を設けた床面（Ｆ）上に接地される。該立上管（２）は、床下空間内であって、下流が下水等に接続された床下配管の上流に接続されてなる。
【００２９】
上記の昇降式キャビネット（Ｋ）を採用した洗面台（Ｓ）は、以下のようにして床面（Ｆ）上に配管施工される。
まず、洗面台（Ｓ）を、立上管（２）を設けた床面（Ｆ）上に接地する。
次に、洗面ボウル（Ｂ）の排水口（１）に排水トラップ（１６）を接続固定する。更にその下端が延長筒内に収納され、且つ排水トラップ（１６）の下流側の端部に垂下した状態で、吊下筒体（７）を排水トラップ（１６）に接続固定する。
次に、一旦延長筒を持ち上げてから、立上筒体（８）の下端を立上管（２）に接続固定し、さらに延長筒を降下して下端を立上筒体（８）内に収納する。
その後、水密筒体（１０）を、上端は吊下筒体（７）の傘状部（１９）の外縁近傍に、下端は受皿部（２２）の外縁近傍に、それぞれ水密的に接続して、昇降式キャビネット（Ｋ）を採用した洗面台（Ｓ）の施工が完了する。尚、この施工の際に、排水口（１）と立上管（２）とに位置ズレが生じていたとしても、立上筒体（８）の内径が、上記延長管（１２）の外径に対して、位置ズレが予想される幅分だけ大径に形成され、その間に隙間空間（Ｗ）が形成されているため、図１０に示したように、位置ズレの分だけ排水接続管（１７）をずらして配管することができる。
【００３０】
上記昇降式キャビネット（Ｋ）を採用した洗面台（Ｓ）を使用する場合において、洗面ボウル（Ｂ）に排水を行った場合は、排水口（１）、排水トラップ（１６）、排水接続管（１７）、立上管（２）、床下配管を介して、最終的に下水側に排出される。
また操作部を操作して、キャビネット（Ｋ）を昇降させた場合、キャビネット（Ｋ）が上昇した際には、吊下筒体（７）又延長管（１２）が立上筒体（８）内から引き上げられて上下方向に広くなり、またキャビネット（Ｋ）が降下した際には、吊下筒体（７）及び延長筒が立上筒体（８）内に収納されて上下方向に無理なく狭くなるため、昇降式キャビネット（Ｋ）を採用した排水機器において、排水接続管（１７）の部材や、キャビネット（Ｋ）が破損したり、排水接続管（１７）と排水口（１）又は立上管（２）との接続が外れ、漏水が発生するということがない。尚、これら昇降の際に、水密筒体（１０）は蛇腹形状であるため、上下に無理なく伸縮して（この時の様態は、良く知られている可撓式ストローの蛇腹部分などと同様に構成されている）、その内部の水密性を確保する。また、排水接続管（１７）からのわずかな跳ね水や、水密筒体（１０）内で結露した水分などは、通水孔（１１）より水密筒体（１０）内から立上管（２）内に容易に排出することができる。また、延長管（１２）の上面と、吊下筒体（７）との下面とが接触すると、結露した水滴などの表面張力によって、延長管（１２）の上面と吊下筒体（７）との下面とが張り付き、延長管（１２）が降下しない場合があるが、上記第四実施例では、延長管（１２）の上面に突出リブ（１３）を形成して成るため、吊下筒体（７）の下面と延長管（１２）の上面との接触面積が極めて小さくなり、それに伴って表面張力による延長管（１２）の貼り付け力も減少し、延長管（１２）の降下が確実に行われるようになる。
【００３１】
次に本発明の第五実施例を、図面を参照しつつ説明する。
図１１及び図１２に示した、本発明の第五実施例は、昇降式キャビネット（Ｋ）を備えた洗面台（Ｓ）と、排水トラップ（１６）と、排水接続管（１７）と、から構成される。
洗面台（Ｓ）は、底部に排水口（１）を備えた槽体である洗面ボウル（Ｂ）を天面に備えてなり、更に操作部（図示せず）を操作することによって天面が昇降し、床面（Ｆ）から排水口（１）までの高さ幅を使用者の都合の良い高さ位置に変更することができる。
排水トラップ（１６）は硬質の管体をＳ字状に屈曲させた部材であって、その内部に排水を溜めることで、下水側からの臭気や害虫類の屋内側への進入を防止することができる。
上記の排水口（１）から立上管（２）に至る部分を接続する排水接続管（１７）は、以下のｅ．からｇ．の各部材から構成されてなる。
ｅ．排水トラップ（１６）の下流側の端部に、垂下した状態で接続固定される吊下筒体（７）。
ｆ．立上管（２）に連通してなり、キャビネット（Ｋ）の降下時に、その内部に吊下筒体（７）を収納可能に構成された立上筒体（８）
ｇ．該吊下筒体（７）と立上筒体（８）とを水密的に接続する、可撓性を備えた円錐台形状の筒体であって、その内周面又は外周面の、水平に沿って連続した高さ位置に、筒体の屈曲を促すための屈曲溝（１４）を設けた反転筒（１５）
更に上記洗面台（Ｓ）は、２〜３センチメートル程度突出した立上管（２）を設けた床面（Ｆ）上に接地される。該立上管（２）は、床下空間内であって、下流が下水等に接続された床下配管の上流に接続されてなる。
【００３２】
上記の昇降式キャビネット（Ｋ）を採用した洗面台（Ｓ）は、以下のようにして床面（Ｆ）上に配管施工される。
まず、洗面台（Ｓ）を、立上管（２）を設けた床面（Ｆ）上に接地する。
次に、洗面ボウル（Ｂ）の排水口（１）に排水トラップ（１６）を接続固定する。更に排水トラップ（１６）の下流側の端部に吊下筒体（７）を、排水トラップ（１６）の端部から垂下した状態で接続固定する。
また、立上筒体（８）の下端を立上管（２）に接続固定する。更に該吊下筒体（７）の下端に反転筒（１５）の上端を、また立上筒体（８）の上端に反転筒（１５）の下端を、それぞれ水密的に接続して、昇降式キャビネット（Ｋ）を採用した洗面台（Ｓ）の施工が完了する。
【００３３】
上記昇降式キャビネット（Ｋ）を採用した洗面台（Ｓ）を使用する場合において、洗面ボウル（Ｂ）に排水を行った場合は、排水口（１）、排水トラップ（１６）、排水接続管（１７）、立上管（２）、床下配管を介して、最終的に下水側に排出される。
また操作部を操作して、図１１のようにキャビネット（Ｋ）を昇降させた場合、キャビネット（Ｋ）が上昇した際には、吊下筒体（７）が立上筒体（８）内から引き上げられると共に、図１２の状態にあった反転筒（１５）が、屈曲溝（１４）の部分で屈曲して、図１１の状態に移行し、排水接続管（１７）が上下方向に広くなる。また図１２に示したようにキャビネット（Ｋ）が降下した際には、吊下筒体（７）が立上筒体（８）内に収納すると共に、図１１の状態にあった反転筒（１５）が、屈曲溝（１４）の部分で屈曲して、図１０の状態に移行し、排水接続管（１７）が上下方向に狭くなるため、昇降式キャビネット（Ｋ）を採用した排水機器において、排水接続管（１７）の部材や、キャビネット（Ｋ）が破損したり、排水接続管（１７）と排水口（１）又は立上管（２）との接続が外れ、漏水が発生するということがない。
また排水接続管（１７）は直線形状を維持するため、キャビネット（Ｋ）の昇降の際、弛み部分を発生しない。
【００３４】
本発明の実施例は以上であるが、本発明の排水配管は前記の実施例に限定されるものでは無く、発明の要旨を逸脱しない範囲において適宜変更は可能である。
例えば、上記第一実施例では、排水接続管（１７）には、２本の通水管（３）を採用して構成しているが、通水管（３）の数量は特に限定されるものでは無く、３本以上の通水管（３）から排水接続管（１７）を構成してもかまわない。
【００３５】
また、上記第二実施例では、回動継手（５）と回動継手受け（６）を回動継手（５）を挿通して貫通させ、飛び出した先で、ストッパー（１８ａ）により抜脱を防止する構成としていたが、これに代えて、図１３に示したように、回動継手（５）、また回動継手受け（６）の両方にフランジ部（２０）を設け、該フランジ部（２０）を断面凹形状からなる、リング状のストッパー（１８ａ）にて回動自在に接続しても、本発明の目的を達成することができる。
【００３６】
また、上記実施例では、延長管（１２）は、水密筒を備えた第四実施例の排水配管にのみ採用されていたが、第三実施例にある排水配管に採用するように構成しても良い。また延長管（１２）の個数も、１つのみでは無く、上下方向に複数個重ねて構成しても、本発明の目的を達成することができる。
【００３７】
また、上記四実施例では、延長管（１２）の上面に突出リブ（１３）を設けて構成しているが、これに代えて、吊下筒体（７）の下面、または延長管（１２）の上面と吊下筒体（７）の下面の両方に突出リブ（１３）を設けても、本発明の目的を達成することができる。
【００３８】
また、上記実施例では、排水トラップ（１６）は、排水口（１）と排水接続管（１７）の間に配管されているが、排水トラップ（１６）を排水接続管（１７）の下流側、即ち、立上管（２）と排水接続管（１７）の間に配管しても、本発明の目的を達成することができる。また、上記排水トラップ（１６）を介して排水口（１）と排水接続管（１７）を接続したように、必要に応じて、排水口（１）や立上管（２）と排水接続管（１７）の間に管体等を配管しても、それら排水口（１）、又は立上管（２）との間に固定した状態で配管されていれば、本発明の目的を達成することができる。
【図面の簡単な説明】
【００３９】
【図１】第一実施例の、キャビネットが上昇した状態における正面図である。
【図２】第一実施例の、キャビネットが降下した状態における正面図である。
【図３】第二実施例の、キャビネットが上昇した状態における正面図である。
【図４】第二実施例の、キャビネットが降下した状態における正面図である。
【図５】第二実施例の回動継手と回動継手受けの、（ａ）接続前（ｂ）接続後の斜視図である。
【図６】第三実施例の、キャビネットが上昇した状態における一部を切り欠きした正面図である。
【図７】第三実施例の、キャビネットが降下した状態における一部を切り欠きした正面図である。
【図８】第四実施例の、キャビネットが上昇した状態における一部を切り欠きした正面図である。
【図９】第四実施例の、キャビネットが降下した状態における一部を切り欠きした正面図である。
【図１０】第四実施例の、排水口と立上管との間に位置ずれがあった状態における参考図である。
【図１１】第五実施例の、キャビネットが上昇した状態における一部を切り欠きした正面図である。
【図１２】第五実施例の、キャビネットが降下した状態における一部を切り欠きした正面図である。
【図１３】他の回動継手と回動継手受けの、（ａ）接続前（ｂ）接続後の斜視図である。
【図１４】排水接続管を硬質管とした洗面台の従来例である。
【図１５】排水接続管を単純な可撓性の管体とした洗面台の従来例である。
【図１６】図１の従来例の洗面台の、キャビネットが降下した状態を示す正面図である。
【符号の説明】
【００４０】
１      排水口            ２      立上管
３      通水管            ４      筒状継手
５      回動継手          ５ａ    回動軸
６      回動継手受け      ７      吊下筒体
８      立上筒体          ９      水密部材
１０    水密筒体          １１    通水孔
１２    延長管            １３    突出リブ
１４    屈曲溝            １５    反転筒
１６    排水トラップ      １７    排水接続管
１８ａ  ストッパー        １８ｂ  溝部
１９    傘状部            ２０    フランジ部
２１    係止部            ２２    受皿部
Ｂ      洗面ボウル        Ｆ      床面
Ｋ      キャビネット      Ｐ      可撓管
Ｓ      洗面台            Ｗ      隙間空間
【図１】
2005248543.tif 000003
【図２】
2005248543.tif 000004
【図３】
2005248543.tif 000005
【図４】
2005248543.tif 000006
【図５】
2005248543.tif 000007
【図６】
2005248543.tif 000008
【図７】
2005248543.tif 000009
【図８】
2005248543.tif 000010
【図９】
2005248543.tif 000011
【図１０】
2005248543.tif 000012
【図１１】
2005248543.tif 000013
【図１２】
2005248543.tif 000014
【図１３】
2005248543.tif 000015
【図１４】
2005248543.tif 000016
【図１５】
2005248543.tif 000017
【図１６】
2005248543.tif 000018